(57)【要約】【課題】ユーザーが任意の情報処理端末を装着するだけで、当該情報処理端末を装着しているユーザーに応じた情報を提供することができる構成を提供する。【解決手段】情報処理システムは、サーバー装置と、サーバー装置からの情報をユーザーに提示する機能を有する１つ以上の情報処理端末と、情報処理端末と連結される装着具とを備える。装着具は、識別情報を保持する識別情報保持部を含む。識別情報保持部は、情報処理端末との連結過程または情報処理端末と連結された状態において、情報処理端末による識別情報の読み取りが可能に構成される。サーバー装置は、装着具の識別情報と当該装着具を使用するユーザーとの対応関係を格納する関連付け手段と、読み取られた装着具の識別情報を受信すると、対応関係を参照して、受信した識別情報に対応付けられるユーザーに関する情報を当該識別情報の送信元の情報処理端末へ送信する送信手段とを含む。【選択図】図１
2017102727.tif 000002
【特許請求の範囲】
【請求項１】
情報処理システムであって、
サーバー装置と、
前記サーバー装置と通信可能に構成されるとともに、前記サーバー装置からの情報をユーザーに提示する機能を有する１つ以上の情報処理端末と、
前記情報処理端末の少なくとも一部と連結されて、ユーザーによる前記情報処理端末の装着を支援する装着具とを備え、
前記装着具は、識別情報を保持する識別情報保持部を含み、前記識別情報保持部は、前記情報処理端末との連結過程または前記情報処理端末と連結された状態において、前記情報処理端末による前記識別情報の読み取りが可能に構成されており、
前記サーバー装置は、
前記装着具の識別情報と当該装着具を使用するユーザーとの対応関係を格納する関連付け手段と、
前記情報処理端末から読み取られた前記装着具の識別情報を受信すると、前記対応関係を参照して、受信した識別情報に対応付けられるユーザーに関する情報を当該識別情報の送信元の前記情報処理端末へ送信する送信手段とを含む、情報処理システム。
【請求項２】
前記関連付け手段は、前記装着具の識別情報の各々と、各装着具を使用するユーザーの識別情報との対応関係を格納する、請求項１に記載の情報処理システム。
【請求項３】
前記関連付け手段は、各装着具を使用するユーザーごとに付与されている識別情報を格納し、
前記識別情報保持部は、各装着具を使用するユーザーの識別情報を保持する、請求項１に記載の情報処理システム。
【請求項４】
前記識別情報保持部は、前記装着具の識別情報を書き換え可能に構成される、請求項１〜３のいずれか１項に記載の情報処理システム。
【請求項５】
前記識別情報保持部は、前記情報処理端末の少なくとも一部と前記装着具とを連結するレールに関連付けて配置される、請求項１〜４のいずれか１項に記載の情報処理システム。
【請求項６】
前記識別情報保持部は、対応する識別情報に応じた凹部と凸部の組み合わせを含む、請求項１〜５のいずれか１項に記載の情報処理システム。
【請求項７】
前記識別情報保持部は、磁性材料を含み、対応する識別情報に応じた残留磁化の向きの組み合わせを含む、請求項１〜５のいずれか１項に記載の情報処理システム。
【請求項８】
前記情報処理端末は、前記識別情報を読み取るための光反射型センサを含み、
前記識別情報保持部は、対応する識別情報に応じた前記光反射型センサから照射される光の反射率が異なる部材の組み合わせを含む、請求項１〜５のいずれか１項に記載の情報処理システム。
【請求項９】
前記情報処理端末は、前記装着具から有効な識別情報を読み取ったことを条件に、ユーザーからの操作を受け付ける、請求項１〜８のいずれか１項に記載の情報処理システム。
【請求項１０】
前記情報処理端末は、前記サーバー装置から受信した情報をユーザーに供するための映像表示部をさらに含む、請求項１〜９のいずれか１項に記載の情報処理システム。
【請求項１１】
前記映像表示部は、前記装着具に連結されるように構成されるとともに、前記装着具への連結過程または前記装着具と連結された状態において前記装着具の識別情報を読み取るための読取部を含む、請求項１０に記載の情報処理システム。
【請求項１２】
サーバー装置と、前記サーバー装置と通信可能に構成されるとともに、前記サーバー装置からの情報をユーザーに提示する機能を有する１つ以上の情報処理端末と、識別情報を有し、前記情報処理端末の少なくとも一部と連結されて、ユーザーによる前記情報処理端末の装着を支援する装着具とを含むシステムにおける情報処理方法であって、
前記情報処理端末が、前記装着具との連結過程または前記装着具と連結された状態において、前記装着具の識別情報を読み取るステップと、
前記情報処理端末が、前記読み取った識別情報を前記サーバー装置へ送信するステップと、
前記サーバー装置が、前記情報処理端末から読み取られた前記装着具の識別情報を受信すると、記憶部に格納される前記装着具の識別情報と当該装着具を使用するユーザーとの対応関係を参照して、受信した識別情報に対応付けられるユーザーに関する情報を当該識別情報の送信元の前記情報処理端末へ送信するステップとを含む、情報処理方法。
【請求項１３】
情報処理システムであって、
サーバー装置と通信可能に構成されるとともに、前記サーバー装置からの情報をユーザーに提示する機能を有する１つ以上の情報処理端末と、
前記情報処理端末の少なくとも一部と連結されて、ユーザーによる前記情報処理端末の装着を支援する装着具とを備え、
前記装着具は、識別情報を保持する識別情報保持部を含み、前記識別情報保持部は、前記情報処理端末との連結過程または前記情報処理端末と連結された状態において、前記情報処理端末による前記識別情報の読み取りが可能に構成されており、
前記情報処理端末は、
前記読み取った識別情報を前記サーバー装置へ送信するための送信手段と、
前記サーバー装置から受信する、前記読み取った識別情報に対応付けられるユーザーに関する情報を当該ユーザーに配信する配信手段とを含む、情報処理システム。
【発明の詳細な説明】
【技術分野】
【０００１】
この開示は、サーバーから端末に情報を配信する情報処理システムに関し、より特定的には、端末を使用するユーザーに応じた情報を配信する情報処理システムに関する。
【背景技術】
【０００２】
製造現場での組立や検査、機器運用現場での保守点検や整備などを行う作業者は、作業工程を記憶し、状況に応じて的確に作業を行う必要がある。これら作業者の作業支援を行うシステムに関し、特開２００４−１０２７２７号公報（特許文献１）は、作業者が現場で効率良く作業手順や関連図書を確認するための保守作業支援システムを開示している。
【０００３】
より具体的には、特許文献１は、作業者端末によって作業者が作業しながらハンズフリーで作業記録を記録したり、作業者端末から中央制御装置へアクセスすることによって作業者が作業手順を確認したりすることができる保守作業支援システムについて開示している。
【先行技術文献】
【特許文献】
【０００４】
【特許文献１】特開２００４−１０２７２７号公報
【発明の概要】
【発明が解決しようとする課題】
【０００５】
ところで、複数の作業者が作業を行う現場においては、作業者全員が同じ作業を行う場合ばかりではなく、作業者ごとに異なる作業を行う場合もある。この場合、作業者の装着する情報処理端末には、作業者ごとに分担された作業指示が配信されることが望ましい。そのためには、情報処理端末に情報を配信するサーバー装置は、情報処理端末を装着している作業者、または作業者の属性（たとえば、役職・業種など）を特定し、当該特定したユーザーに応じた情報を提示する必要がある。
【０００６】
しかしながら、上述の特許文献１は、複数の作業者が情報処理端末を用いて各々の作業を行う構成については考慮されていない。そのため、特許文献１に開示される技術は、複数の作業者に対して、作業者ごとに分担された作業指示を行うことはできないという問題がある。
【０００７】
本開示は、上記のような問題を解決するためになされたものであって、ある局面における目的は、ユーザーが任意の情報処理端末を装着するだけで、当該情報処理端末を装着しているユーザーに応じた情報を提供することができる情報処理システム、およびそのシステムで実行される情報処理方法を提供することである。
【課題を解決するための手段】
【０００８】
情報処理システムは、サーバー装置と、サーバー装置と通信可能に構成されるとともに、サーバー装置からの情報をユーザーに提示する機能を有する１つ以上の情報処理端末と、情報処理端末の少なくとも一部と連結されて、ユーザーによる情報処理端末の装着を支援する装着具とを備える。装着具は、識別情報を保持する識別情報保持部を含む。識別情報保持部は、情報処理端末との連結過程または情報処理端末と連結された状態において、情報処理端末による識別情報の読み取りが可能に構成される。サーバー装置は、装着具の識別情報と当該装着具を使用するユーザーとの対応関係を格納する関連付け手段と、情報処理端末から読み取られた装着具の識別情報を受信すると、対応関係を参照して、受信した識別情報に対応付けられるユーザーに関する情報を当該識別情報の送信元の情報処理端末へ送信する送信手段とを含む。
【０００９】
好ましくは、関連付け手段は、装着具の識別情報の各々と、各装着具を使用するユーザーの識別情報との対応関係を格納する。
【００１０】
好ましくは、関連付け手段は、各装着具を使用するユーザーごとに付与されている識別情報を格納する。識別情報保持部は、各装着具を使用するユーザーの識別情報を保持する。
【００１１】
好ましくは、識別情報保持部は、装着具の識別情報を書き換え可能に構成される。
好ましくは、識別情報保持部は、情報処理端末の少なくとも一部と装着具とを連結するレールに関連付けて配置される。
【００１２】
好ましくは、識別情報保持部は、対応する識別情報に応じた凹部と凸部の組み合わせを含む。
【００１３】
好ましくは、識別情報保持部は、磁性材料を含み、対応する識別情報に応じた残留磁化の向きの組み合わせを含む。
【００１４】
好ましくは、情報処理端末は、識別情報を読み取るための光反射型センサを含む。識別情報保持部は、対応する識別情報に応じた光反射型センサから照射される光の反射率が異なる部材の組み合わせを含む。
【００１５】
好ましくは、情報処理端末は、装着具から有効な識別情報を読み取ったことを条件に、ユーザーからの操作を受け付ける。
【００１６】
好ましくは、情報処理端末は、サーバー装置から受信した情報をユーザーに供するための映像表示部をさらに含む。
【００１７】
さらに好ましくは、映像表示部は、装着具に連結されるように構成されるとともに、装着具への連結過程または装着具と連結された状態において装着具の識別情報を読み取るための読取部を含む。
【００１８】
別の局面に従うと、サーバー装置と、サーバー装置と通信可能に構成されるとともに、サーバー装置からの情報をユーザーに提示する機能を有する１つ以上の情報処理端末と、識別情報を有し、情報処理端末の少なくとも一部と連結されて、ユーザーによる情報処理端末の装着を支援する装着具とを含むシステムにおける情報処理方法は、情報処理端末が、装着具との連結過程または装着具と連結された状態において、装着具の識別情報を読み取るステップと、情報処理端末が、読み取った識別情報をサーバー装置へ送信するステップと、サーバー装置が、情報処理端末から読み取られた装着具の識別情報を受信すると、記憶部に格納される装着具の識別情報と当該装着具を使用するユーザーとの対応関係を参照して、受信した識別情報に対応付けられるユーザーに関する情報を当該識別情報の送信元の情報処理端末へ送信するステップとを含む。
【００１９】
さらに別の局面に従うと、情報処理システムは、サーバー装置と通信可能に構成されるとともに、サーバー装置からの情報をユーザーに提示する機能を有する１つ以上の情報処理端末と、情報処理端末の少なくとも一部と連結されて、ユーザーによる情報処理端末の装着を支援する装着具とを備える。装着具は、識別情報を保持する識別情報保持部を含む。識別情報保持部は、情報処理端末との連結過程または情報処理端末と連結された状態において、情報処理端末による識別情報の読み取りが可能に構成される。情報処理端末は、読み取った識別情報をサーバー装置へ送信するための送信手段と、サーバー装置から受信する、読み取った識別情報に対応付けられるユーザーに関する情報を当該ユーザーに配信する配信手段とを含む。
【発明の効果】
【００２０】
一実施の形態に従う情報処理システム、およびそのシステムで実行される情報処理方法によれば、ユーザーが任意の情報処理端末を装着するだけで、当該情報処理端末を装着しているユーザーに応じた情報を提供することができる。
【図面の簡単な説明】
【００２１】
【図１】実施の形態に従う情報処理システムの概要を説明するための図である。
【図２】実施の形態に従う情報処理システムの構成例について説明する図である。
【図３】実施の形態に従うコントローラー部の構成例について説明する図である。
【図４】実施の形態に従う表示装置の構成例について説明する図である。
【図５】実施の形態に従う情報処理端末およびサーバー装置を説明するブロック図である。
【図６】実施の形態に従う表示装着具の構成例を説明する図である。
【図７】実施の形態に従う表示取り付け部を拡大した図である。
【図８】実施の形態に従う読取装置の構成例について説明する図である。
【図９】情報処理端末を使用する作業者に応じた情報を取得するための、情報処理端末およびサーバー装置における制御のフローチャートである。
【図１０】実施の形態に従うユーザーテーブルについて説明する図である。
【図１１】実施の形態に従う作業情報テーブルについて説明する図である。
【図１２】他の実施の形態に従う識別情報保持部および読取装置について説明する図である。
【図１３】さらに他の実施の形態に従うコントローラー装着具の構成例について説明する図である。
【図１４】さらに他の実施の形態に従うコントローラー取り付け部を説明する図である。
【図１５】さらに他の実施の形態に従うコントローラー部の構成例、およびコントローラー部とコントローラー装着具とが連結された状態について説明する図である。
【図１６】さらに他の実施の形態に従うコントローラー部の構成例、およびコントローラー部とコントローラー装着具とが連結された状態について説明する図である。
【図１７】変形例に従う識別情報保持部について説明する図である。
【図１８】さらに他の変形例に従う表示装着具の構成例を説明する図である。
【図１９】さらに他の変形例に従う表示装着具の構成例を説明する図である。
【発明を実施するための形態】
【００２２】
以下、この発明の実施の形態について図面を参照しながら詳細に説明する。なお、図中同一または相当部分には同一符号を付し、その説明は繰り返さない。
【００２３】
［実施の形態１−凹凸部を用いた識別情報］
＜Ａ．概要＞
図１は、実施の形態に従う情報処理システム１の概要を説明するための図である。図１を参照して、実施の形態に従う情報処理システム１は、主に、ステップＳ１〜Ｓ４までの処理を含む。
【００２４】
情報処理システム１は、１つ以上の情報処理端末１００−１、１００−２、・・・（以下「情報処理端末１００」と総称する場合もある。）と、１つ以上の装着具２００−１、２００−２、・・・（以下、「装着具２００」と総称する場合もある。）、サーバー装置３００とを含む。以下では、典型例として、情報処理端末１００のユーザーは、工場などの現場における作業者であるとする。
【００２５】
作業現場にいる複数の作業者はそれぞれ、専用の装着具２００が与えられる。装着具２００は、情報処理端末１００の少なくとも一部と連結可能に構成され、作業者による情報処理端末１００の装着を支援する。この装着具２００は、個々の装着具２００、または装着具２００が属するグループを識別する識別情報を有する。装着具２００は、ユーザーが身に着けられるものであればよく、一例として、腰ベルト、上着、帽子、ヘルメットなどが挙げられる。
【００２６】
たとえば、図１を参照して、作業者Ａは、識別情報「０００１」の装着具２００−１を所持し、作業者Ｂは、識別情報「０００２」の装着具２００−２を所持する。このように、情報処理端末１００に識別情報を付与するのではなく、装着具２００に識別情報を付与する。これにより、たとえば、情報処理端末１００が故障したときであっても、作業者は、任意の情報処理端末１００を交換するだけで作業を継続することができる。
【００２７】
ステップＳ１〜Ｓ４までの典型的な処理の一例として、作業者Ｂの作業について説明を行う。作業者Ｂは、装着具２００−２を身に着けている。ステップＳ１において、作業者Ｂは１つ以上の情報処理端末１００の中から、任意の情報処理端末１００−３を装着具２００−２に装着する。これにより、情報処理端末１００−３の読取装置（不図示）が装着具２００−２の識別情報「０００２」を読み取る。
【００２８】
続いて、ステップＳ２において、情報処理端末１００−３は、読み取った装着具２００−２の識別情報「０００２」をサーバー装置３００へ送信する。
【００２９】
ステップＳ３において、サーバー装置３００は、受信した識別情報「０００２」に基づいて、情報処理端末１００−３を使用している作業者が作業者Ｂであることを特定する。より具体的には、サーバー装置３００は、記憶部（不図示）に格納される、装着具２００の識別情報と作業者（ユーザー）との対応関係を表すデータベースＤＢを参照して、識別情報「０００２」の使用者が作業者Ｂであると特定する。
【００３０】
ステップＳ４において、サーバー装置３００は、識別情報「０００２」の送信元である情報処理端末１００−３に対して、作業者Ｂに応じた個別の作業内容を表す情報（以下、「作業情報」とも称する。）を、送信元である情報処理端末１００−３に対して送信する。これを受けて、情報処理端末１００−３は、作業者Ｂに対してサーバー装置３００から受信した情報を提示する。
【００３１】
上記によれば、実施の形態に従う情報処理システム１は、サーバー装置３００において、作業者が個々に有する装着具２００の識別情報に基づいて、情報処理端末１００を使用している作業者（または作業者の属性）を特定することができる。これにより、サーバー装置３００は、情報処理端末１００を使用している各作業者に対して、個別の情報を提供することができる。
【００３２】
また、各作業者は、当該作業者専用の装着具２００を身に着け、任意の情報処理端末１００を連結するだけで、作業に取り掛かることができる。そのため、作業者は、作業に取り掛かるまでの準備期間を短縮することができ、作業効率を向上させることができる。以下に、上記の内容を実現するための制御および構成について説明を行う。
【００３３】
＜Ｂ．全体構成＞
図２は、実施の形態に従う情報処理システム１の構成例について説明する図である。図２（ａ）を参照して、情報処理システム１における情報処理端末１００は、コントローラー部１００Ｃと表示装置１００Ｄとを有する。コントローラー部１００Ｃには、後述する通信インターフェース６６が設けられ、サーバー装置３００と通信可能に構成される。
【００３４】
サーバー装置３００は、たとえば、情報処理端末１００が使用される現場から離れた場所に設置され、遠隔地から情報処理端末１００の作業者に指示を行ったり、作業情報を配信したりする。
【００３５】
図２（ｂ）は、情報処理端末１００および装着具２００の使用状態について説明する図である。図２（ｂ）を参照して、本実施の形態において、作業者は、腰部にコントローラー装着具２００Ｃを、頭部に表示装着具２００Ｄを身に着けている。
【００３６】
コントローラー装着具２００Ｃはコントローラー部１００Ｃの少なくとも一部を、表示装着具２００Ｄは表示装置１００Ｄの少なくとも一部をそれぞれ連結可能に構成される。これにより、作業者による情報処理端末１００の装着を支援する。以下、本実施形態において、表示装着具２００Ｄに識別情報を付与する構成について説明を行うが、いずれの装着具２００に識別情報を付与してもよい。
【００３７】
コントローラー部１００Ｃは、ケーブル２７を介して表示装置１００Ｄと接続され、表示装置１００Ｄに情報を送信する。コントローラー装着具２００Ｃは、腰部のベルトに加えショルダーベルトを含む。ケーブル２７は、当該ショルダーベルトにクリップ（不図示）などで固定される。
【００３８】
＜Ｃ．コントローラー部１００Ｃの外観構成＞
図３は、実施の形態に従うコントローラー部１００Ｃの構成について説明する図である。図３（ａ）を参照して、コントローラー部１００Ｃは、作業者がコントローラー部１００Ｃを装着したときに、作業者の身体と対向する面（以下、「背面」とも称する。）と逆側の面（以下、「正面」とも称する。）に操作ボタン１１および電源ボタン１２が配置される。コントローラー部１００Ｃの下部には、後述する電池２６を保持するための電池保持部１４が配置される。電池保持部１４は、着脱可能な電池蓋１６を有する。コントローラー部１００Ｃの作業者は、電池蓋１６を取り外して電池２６の交換などを行う。電池２６は、一例として、リチウムイオン電池などの２次電池であるとする。
【００３９】
図３（ｂ）は、電池蓋１６を取り外したときのコントローラー部１００Ｃの正面である。電池保持部１４は、２本の電池２６を挿入に構成される。これにより、コントローラー部１００Ｃの電池を交換するときであっても、２本の電池２６を同時に取り外さない限り、コントローラー部１００Ｃの起動状態を維持することができる。そのため、当該構成は、電池交換の度に情報処理端末１００の再起動を行うという手間を省くことができる。
【００４０】
再び図３（ａ）を参照して、コントローラー部１００Ｃの上面には、汎用インターフェース１８と、ＨＭＤ（Head Mounted Display）接続部２０Ｃと、マイク／イヤホン接続部２２Ｃとが、側面には外部電源接続部２４が設けられている。
【００４１】
汎用インターフェース１８と他のデバイスとの接続方法は、汎用プロトコルを用いて行われる。汎用プロトコルの例としては、ＵＳＢ（Universal Serial Bus）やＰＣＩｅ（Peripheral Component Interconnect Express）バス等が挙げられる。汎用インターフェース１８には、たとえば、マイクロスコープカメラ（不図示）が接続され、作業者は、肉眼で確認できないものをマイクロスコープカメラを用いて撮影し、表示装置１００Ｄを介して視ることができる。また、他の例として、汎用インターフェース１８にはＧＰＳ（Global Positioning System）レシーバーが接続され、作業者またはサーバー装置３００は、コントローラー部１００Ｃの位置を把握することができる。
【００４２】
ＨＭＤ接続部２０Ｃおよびマイク／イヤホン接続部２２Ｃは、後述する表示装置１００ＤのＨＭＤ接続端子２０Ｄ、マイク／イヤホン接続端子２２Ｄとそれぞれ接続可能に構成される。一例として、マイク／イヤホン接続部２２Ｄは、直径３．５ｍｍのフォーンプラグであるとする。
【００４３】
外部電源接続部２４は、携帯型リチウム電池（不図示）などの外部バッテリーを接続するための端子であって、コントローラー部１００Ｃの駆動時間のより長時間化を実現する。一例として、外部電源接続部２４は、マイクロＵＳＢの接続端子であるとする。
【００４４】
また、コントローラー部１００Ｃの背面には、コントローラー装着具２００Ｃと連結するための、連結部１０が設けられる。連結部１０は、一例として、クリップであるとする。
【００４５】
＜Ｄ．表示装置１００Ｄの外観構成＞
次に、図４を用いて表示装置１００Ｄの構成例について説明を行う。図４（ａ）を参照して、表示装置１００Ｄは、コントローラー部１００ＣのＨＭＤ接続部２０Ｃ、マイク／イヤホン接続端子２２Ｄと接続するための、ＨＭＤ接続端子２０Ｄと、マイク／イヤホン接続端子２２Ｄとを有する。
【００４６】
これらの接続端子は、ケーブル２７を介して表示部３０およびイヤホン２８に接続される。作業者は、コントローラー部１００Ｃがサーバー装置３００から受信した情報を、イヤホン２８を通じて聞き取ることができる。
【００４７】
表示部３０は、筐体３１と、ディスプレイ３６とを含み、筐体３１は、マイク３２と、カメラ３４と、読取装置４０とを有する。マイク３２は作業者および周囲の音声を収集する。カメラ３４は、概ね作業者と同じ視界の映像を収集するように設けられ、作業の内容の記録などに用いられる。
【００４８】
読取装置４０は、表示装着具２００Ｄと連結可能に構成され、後述する表示装着具２００Ｄの有する識別情報を読み取る。
【００４９】
図４（ｂ）を参照して、表示部３０の筐体３１内部には、映像を形成するための液晶表示パネル（不図示）と光源（不図示）が内臓されている。これらによって照射される映像光は、ディスプレイ３６に内蔵されるプリズム３８およびホログラムシート（不図示）の作用によって、作業者の目に到達する。これらの構成により、作業者は、ディスプレイ３６に映し出される映像を視認しつつ、プリズム３８を透過する光によって、作業中の作業者前方の視界も確保することができる。
【００５０】
＜Ｅ．情報処理端末１００およびサーバー装置３００の電気的な構成＞
図５は、情報処理端末１００およびサーバー装置３００を説明するブロック図である。図５を参照して、コントローラー部１００Ｃは、情報処理端末１００全体の処理を行う制御部６０を有する。制御部６０は、その主要な制御要素として、ＣＰＵ（Central Processing Unit）６１と、ＲＡＭ（Random Access Memory）６２と、ＲＯＭ（Read Only Memory）６３と、インターフェース（Ｉ／Ｆ）６４とを含む。
【００５１】
ＣＰＵ６１は、ＲＯＭ６３などに記憶されたプログラムを読み出して実行することで、情報処理端末１００の全体処理を実現する。なお、ＣＰＵ６１は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００５２】
ＲＡＭ６２は、典型的には、ＤＲＡＭ（Dynamic Random Access Memory）などであり、ＣＰＵ６１がプログラムを動作するために必要なデータを一時的に記憶するためのワーキングメモリとして機能する。
【００５３】
ＲＯＭ６３は、典型的には、フラッシュメモリなどであり、ＣＰＵ６１で実行されるプログラムや、情報処理端末１００の動作にかかる各種設定情報を記憶する。
【００５４】
インターフェース６４は、操作入力部である操作ボタン１１、電源ボタン１２と、ＨＭＤ接続部２０Ｃと、電源供給部６５と通信インターフェース６６と電気的に接続され、各種デバイスとの信号の遣り取りを行う。
【００５５】
電源供給部６５は、各種デバイスに電力を供給するとともに、ＨＭＤ接続部２０Ｃを介して表示装置１００Ｄへ電力を供給する。通信インターフェース６６は、サーバー装置３００の通信インターフェース３１０と通信を行う。情報処理端末１００とサーバー装置３００との通信はＷｉｆｉ（Wireless Fidelity）、ＮＦＣ（Near Field Communication）およびＢｌｕｅｔｏｏｔｈ（登録商標）などの通信方式に従って直接通信を行ってもよい。他の局面において、サーバー装置３００が情報処理端末１００から遠隔の地に設置される場合、これらはインターネット網（不図示）を介して通信を行ってもよい。
【００５６】
表示装置１００Ｄにおいて、ＨＭＤ接続端子２０Ｄは、マイク３２、カメラ３４、ディスプレイ３６、および読取装置４０とそれぞれケーブル２７を介して電気的に接続される。
【００５７】
作業者は、マイク３２を利用して情報処理端末１００を音声で操作することができる。より具体的には、作業者は、マイク３２に向かって所定の単語（コマンド）を話す。これに応じて、制御部６０は、作業者の発話内容を解析し、所定の単語に応じた操作を実行する。これにより、作業者は、両手が塞がっているときであっても、ハンズフリーで情報処理端末１００を操作することができる。
【００５８】
また、作業者は、マイク３２を通じて、サーバー装置３００を操作する管理者と通話し、作業の指示を仰ぐこともできる。加えて、作業者は、カメラ３４を利用して、自身が視ている視界の映像を管理者と共有し、作業の指示を仰ぐこともできる。
【００５９】
サーバー装置３００は、通信インターフェース３１０、ＣＰＵ３２０、およびＲＯＭ３３０を有する。ＲＯＭ３３０は、後述するユーザーテーブルＴａ１と作業情報テーブルＴａ２とを含む。
【００６０】
＜Ｆ．識別方法＞
以下に、サーバー装置３００において、個々の作業者に割り当てられる装着具が有する識別情報に基づいて、情報処理端末１００を使用している作業者（ユーザー）を特定するための構成について説明を行う。なお、本実施の形態において、一例として、表示装着具２００Ｄに識別情報を付与する構成について説明を行うが、コントローラー装着具２００Ｃに識別情報を付与する構成であってもよい。
【００６１】
（ｆ１．表示装着具２００Ｄ）
図６は、実施の形態に従う表示装着具２００Ｄの構成例を説明する図である。本実施の形態において、一例として、表示装着具２００Ｄは、帽子である。図６を参照して、表示装着具２００Ｄ（帽子）の鍔部２０５には、表示取り付け部２１０が設けられる。また、表示装着具２００Ｄは、サイズ調節部２２０を有する。サイズ調節部２２０は、表示装着具２００Ｄが占める空間の大きさを任意に調節可能に構成される。これにより、個々の作業者は、自身の頭部に表示装着具２００Ｄを適当に身に着けることができる。
【００６２】
図７は表示取り付け部２１０を拡大した図である。表示取り付け部２１０は、右目用取り付け部２１０Ｒと、左目用取り付け部２１０Ｌとを含む。右目用取り付け部２１０Ｒ、左目用取り付け部２１０Ｌはそれぞれ、表示装着具２００Ｄを被ったときの作業者の右目、左目に相当する位置に設けられる。
【００６３】
右目用取り付け部２１０Ｒと、左目用取り付け部２１０Ｌとは、左右対称の構造を有するため、右目用取り付け部２１０Ｒについて以下説明し、左目用取り付け部２１０Ｌの説明は繰り返さない。
【００６４】
図７（ａ）は、右目用取り付け部２１０Ｒを、鍔部２０５が形成する面に対する法線方向から見た正面図である。図７（ｂ）は、図７（ａ）における切断線ｉ−ｉにおける右目用取り付け部２１０Ｒの断面図である。図７（ｃ）は、右目用取り付け部２１０Ｒを、右目用取り付け部２１０Ｒの長手方向から見た側面図である。
【００６５】
図７（ａ）〜（ｃ）を参照して、右目用取り付け部２１０Ｒは、レール２１１Ｒと、ストッパ２１２Ｒと、識別情報保持部２１４Ｒとを有する。レール２１１Ｒは、表示装置１００Ｄの読取装置４０と連結可能に構成される。読取装置４０は、レール２１１Ｒに係合された状態で表示装着具２００Ｄ（帽子）の外側から内側に向かってスライドされ、ストッパ２１２Ｒに当接される。
【００６６】
識別情報保持部２１４Ｒは、レール２１１Ｒの下部に設けられるとともに、凹凸部を有する。図７に示される例では、識別情報保持部２１４Ｒは、外側から内側に向かって、凹部、凸部、凹部、凹部を形成している。識別情報保持部２１４Ｒは、凹部と凸部との組み合わせによって、装着具２００の識別情報（以下、「装着ＩＤ」とも称する。）を保持する。図示される例において、識別情報保持部２１４Ｒは、４カ所の凹部または凸部を有するため、１６（＝２４）通りの識別情報を保持する。以下に、装着ＩＤを読み取るための読取装置４０について説明を行う。なお、他の局面において、識別情報保持部２１４は、５カ所以上の凹凸部を有する構成であってもよい。
【００６７】
（ｆ２．読取装置４０）
図８は、読取装置４０の構成例について説明する図である。図８（ａ）は、表示部３０を、ケーブル２７が配置される側面から見た側面図である。図８（ｂ）は、表示部３０をカメラ３４が配置される正面から見た正面図である。図８（ｃ）は、読取装置４０を拡大した側面図である。
【００６８】
図８（ａ）および（ｂ）を参照して、筐体３１の上部に設けられる読取装置４０は、長手方向の両端部に、連結溝４１を有する。連結溝４１は、表示装着具２００Ｄのレール２１１と連結し、スライド可能に構成される。ここで、「連結」とは、機械的な嵌め合いのみを意味するものではなく、装着具２００が情報処理端末１００の少なくとも一部を保持することと定義する。
【００６９】
作業者は、表示装着具２００Ｄの右目側に表示装置１００Ｄを連結したい場合、図８（ｂ）の面ＲＥ側から連結溝４１をストッパ２１２Ｒに当接するまでレール２１１Ｒにスライドさせる。一方、表示装着具２００Ｄの左目側に表示装置１００Ｄを連結したい場合、作業者は、図８（ｂ）の面ＬＥ側から連結溝４１をストッパ２１２Ｌに当接するまでレール２１１Ｌにスライドさせる。このとき、レール２１１および連結溝４１は、両者の間に適切な摩擦力が作用するように設けられる。
【００７０】
連結溝４１は、表示取り付け部２１０と対向する面に、複数の突起４２を有する。連結溝４１は、表示取り付け部２１０が有する凹部および凸部の数だけ突起４２を有する。本実施の形態において、連結溝４１は、突起４２を８カ所有する。また、これらの突起４２は、表示装置１００Ｄが表示装着具２００Ｄに連結された状態において、表示取り付け部２１０が有する凹部および凸部と対応する位置に設けられる。
【００７１】
図８（ｃ）を参照して、各突起４２の下部には、スイッチ４４が設けられる。表示装置１００Ｄが表示装着具２００Ｄに連結された状態において、突起４２は、識別情報保持部２１４が有する凸部によって押圧される。これにより、突起４２は、下部に設けられるスイッチ４４を押圧し、スイッチ４４をＯＮ状態にする。一方、識別情報保持部２１４が有する凹部に対応する突起４２は押圧されないため、当該突起４２の下部に設けられるスイッチ４４はＯＦＦ状態を維持する。
【００７２】
読取装置４０は、これらスイッチ４４のＯＮ／ＯＦＦの状態を読み取ることによって、識別情報保持部２１４の凹凸、すなわち装着ＩＤを読み取る。スイッチ４４のＯＮ状態を「１」、ＯＦＦ状態を「０」とすると、図７に示される識別情報保持部２１４の場合、読取装置４０は、装着ＩＤが「０１００」であると判断する。読取装置４０は、読み取った識別情報をＨＭＤ接続端子２０Ｄを介して制御部６０へ出力する。
【００７３】
なお、右目用取り付け部２１０Ｒと、左目用取り付け部２１０Ｌとは、左右対称の構造を有するため、表示装着具２００Ｄの右目側および左目側のいずれに表示装置１００Ｄを連結しても、読取装置４０が読み取る装着ＩＤは同じである。
【００７４】
上記の通り、読取装置４０は、右目側および左目側でそれぞれ独立してスイッチ４４を有する。そのため、ＯＮ状態となるスイッチ４４の位置によって、制御部６０は、表示装着具２００Ｄの左目側に表示装置１００Ｄを連結されたのか、右目側に表示装置１００Ｄを連結されたのかを判別することができる。これに応じて、制御部６０は、ディスプレイ３６に表示される映像が、作業者の視界内における外側に位置するように、自動的に表示位置を変更する。その結果、作業者は、ディスプレイ３６に表示される映像が作業の邪魔にならず、映像による疲労を抑制される。
【００７５】
本実施の形態において、読取装置４０は、スイッチ４４がすべてＯＦＦの状態（すなわち、装着ＩＤが「００００」の状態）を、表示装着具２００Ｄが未装着の状態であると判断する。そのため、本実施の形態に従う読取装置４０は、１５（＝２４−１）通りの表示装着具２００Ｄを識別することができる。以下に、装着ＩＤを用いて、表示装着具２００Ｄに連結された情報処理端末１００を使用する作業者を特定する制御について説明を行う。
【００７６】
（ｆ３．制御の流れ）
図９は、情報処理端末１００を使用する作業者に応じた情報を取得するための、情報処理端末１００およびサーバー装置３００における制御のフローチャートである。図９に示される処理は、情報処理端末１００のＣＰＵ６１およびサーバー装置３００のＣＰＵ３２０が各種の制御プログラムを実行することにより実現される。他の局面において、処理の一部または全部が、回路素子その他のハードウェアによって実行されてもよい。
【００７７】
図９を参照して、ステップＳ１０において、情報処理端末１００は、読取装置４０によって、装着された表示装着具２００Ｄの識別情報（装着ＩＤ）を読み取る。続いてステップＳ１２において、コントローラー部１００Ｃは、読み取った装着ＩＤをサーバー装置３００へ送信する。
【００７８】
ステップＳ２０において、サーバー装置３００は、表示装置１００Ｄから装着ＩＤを受信する。続いて、ステップＳ２２において、サーバー装置３００は、受信した装着ＩＤに対応付けられる作業者の識別情報（以下、「作業者ＩＤ」とも称する。）を特定する。より具体的には、サーバー装置３００は、図１０に示されるユーザーテーブルＴａ１を参照する。ユーザーテーブルＴａ１には、装着ＩＤと作業者ＩＤとがそれぞれ対応付けられて格納されている。そのため、たとえば、サーバー装置３００は、装着ＩＤ「０００１」を受信した場合、ユーザーテーブルＴａ１を参照して、装着ＩＤ「０００１」の表示装着具２００Ｄを使用する作業者の作業者ＩＤが「Ｕ０００２」であると特定する。
【００７９】
再び図９を参照して、ステップＳ２４において、サーバー装置３００は、特定した作業者ＩＤに関連する個別の作業情報を、装着ＩＤの送信元の情報処理端末１００へ送信する。より具体的には、サーバー装置は、図１１に示される作業情報テーブルＴａ２を参照する。作業情報テーブルＴａ２には、作業者ＩＤと作業情報とが対応付けられて格納されている。そのため、たとえば、サーバー装置は、作業者ＩＤが「Ｕ０００２」であると特定すると、装着ＩＤ「０００１」の送信元である情報処理端末１００に対して、「△△△」の作業情報を送信する。
【００８０】
ステップＳ１４において、情報処理端末１００は、サーバー装置３００から、装着ＩＤに対応付けられる作業者に関する作業情報を受信する。続いて、ステップＳ１６において、情報処理端末１００は、受信した作業情報を、表示装置１００Ｄのディスプレイ３６および／またはイヤホン２８を介して作業者に提示する。
【００８１】
上記によれば、情報処理システム１は、サーバー装置３００において、作業者が個々に有する装着具２００の識別情報（装着ＩＤ）に基づき情報処理端末１００を使用している作業者を特定することができる。これにより、サーバー装置３００から情報処理端末１００を使用している各作業者に対して、個別の情報を提供することができる。
【００８２】
また、サーバー装置３００は、情報処理端末１００から作業記録など何らかの情報を受信した場合にも、情報処理端末１００を使用する作業者（の識別情報）と関連付けて当該情報を格納することができる。
【００８３】
加えて、サーバー装置３００が情報処理端末１００を使用している作業者を特定するにあたって、作業者は、当該作業者専用の装着具２００を身に着け、任意の情報処理端末１００を連結するだけでよい。そのため、たとえば、従業員証などに設けられたバーコード、ＱＲコード（登録商標）などを用いて認証を行うシステムに比して、本システムは、作業者が作業を行うための準備期間を短期化でき、作業効率を向上させることができる。
【００８４】
また、ある情報処理端末１００に何らかの不具合が生じた場合であっても、作業者は、他の情報処理端末１００を自身の装着具２００に連結するだけで作業にすぐ復帰することができる。
【００８５】
さらに、本システムは、複数の作業者の間で、任意の情報処理端末１００を共有することができる。そのため、作業者に対して専用の情報処理端末を与えるシステムに比して、運用コストを抑制することができる。
【００８６】
なお、上記において、情報処理端末１００の典型的なユーザーとして工場などの作業者を例にとって説明を行ったが、本実施の形態に従うシステムは、その他の場面でも用いることができる汎用的なシステムである。たとえば、本システムは、教育現場などで用いることができる。より具体的には、先生は、サーバー装置３００を介して、情報処理端末１００のユーザーである生徒に対して、個別に指導を行うことができる。
【００８７】
［実施の形態２−磁気を用いた識別情報］
上記において、識別情報保持部２１４が凹凸部を有し、読取装置４０が凹凸部に対応してＯＮ／ＯＦＦ状態となるスイッチを有する構成例について説明を行ったが、これに限られない。以下に、他の構成を用いた装着ＩＤおよび読取機構について説明を行う。なお、本実施の形態の基本構成は実施の形態１と略同じなので相違する点についてのみ説明する。
【００８８】
図１２は、他の実施の形態に従う識別情報保持部２１４Ａおよび読取装置４０Ａについて説明する図である。図１２を参照して、識別情報保持部２１４Ａは、磁性体を含む磁気フィルムで構成される。読取装置４０Ａは、感磁素子４４Ａを有する。感磁素子は、一例として、ホール素子、磁気インピーダンス素子などが用いられる。
【００８９】
図１２（ａ）を参照して、磁気フィルムで構成される識別情報保持部２１４Ａは、場所ごとに区分けされる複数の着磁領域２１６を有する。これら複数の着磁領域２１６はそれぞれ、予め磁化書き込み装置（不図示）によって、磁化の向きが書き込まれている。すなわち、識別情報保持部２１４Ａは、着磁領域２１６の磁化の向きの組み合わせによって、表示装着具の識別情報を保持する。なお、着磁領域２１６の磁化の向きは、左右対称に書き込まれる。
【００９０】
図１２（ｂ）を参照して、読取装置４０Ａは、着磁領域２１６のそれぞれに対応するように感磁素子４４Ａを有する。これにより、表示装着具と表示装置とが連結された状態において、各々の感磁素子４４Ａは、対応する着磁領域２１６の残留磁化の向きを検出する。読取装置４０Ａは、識別情報保持部２１４Ａが保持する識別情報を読み取ることができる。
【００９１】
［実施の形態３−光の反射率を利用した識別情報］
＜Ａ．連結した状態で識別情報の読み取り＞
本実施の形態では、さらに他の装着ＩＤおよび読取機構について説明する。なお、本実施の形態の基本構成は実施の形態１と略同じなので相違する点についてのみ説明する。
【００９２】
図１３は、さらに他の実施の形態に従うコントローラー装着具２００ＣＡの構成例について説明する図である。図１３を参照して、コントローラー装着具２００ＣＡは、作業者の腰部周囲に巻くための腰ベルト部２３２と、当該腰ベルトに両端が固定され、作業者の肩にかける肩ベルト部２４４とを有する。腰ベルト部２３２は、当該腰ベルト部２３２の長さを調節するための腰ベルト調節部２３４と、後述するコントローラー部１００ＣＡを連結するためのコントローラー取り付け部２５０とを含む。
【００９３】
腰ベルト調節部２３４は、バックル等で構成される。コントローラー取り付け部２５０は、腰ベルト部２３２上をスライド可能に構成される。これにより、作業者は、コントローラー部１００ＣＡを腰ベルト部２３２の任意の位置で連結することができる。
【００９４】
図１４は、さらに他の実施の形態に従うコントローラー取り付け部２５０を説明する図である。図１４（ａ）を参照して、コントローラー取り付け部２５０は、作業者の身体と対向する背面とは逆側の正面に、コントローラー部１００ＣＡを連結するためのコントローラー取り付けレール２５２を有する。
【００９５】
図１４（ｂ）は、図１４（ａ）のコントローラー取り付け部２５０の平面図（ｘ−ｙ平面）、断面図（ｙ−ｚ平面）、側面図（ｘ−ｚ平面）である。
【００９６】
図１４（ｂ）を参照して、コントローラー取り付け部２５０は、正面に識別情報保持部２５４を有する。一例として、識別情報保持部２５４は、場所ごとに白部または黒部が規定される部材であるとする。識別情報保持部２５４は、この白部と黒部の組み合わせによって、コントローラー装着具２００ＣＡの識別情報（装着ＩＤ）を保持する。本実施の形態において、識別情報保持部２５４は、白部または黒部が規定される場所を８カ所有する。
【００９７】
コントローラー取り付けレール２５２は、ストッパ２５６を有する。これにより、コントローラー部１００ＣＡの係合部は、コントローラー取り付けレール２５２の上部からスライドされ、ストッパ２５６に当接される。
【００９８】
コントローラー取り付け部２５０は、背面に、腰ベルト部２３２上をスライドさせるためのベルト通し２５８を有する。
【００９９】
図１５は、コントローラー部１００ＣＡの構成例、およびコントローラー部１００ＣＡとコントローラー装着具２００ＣＡとが連結された状態について説明する図である。
【０１００】
図１５（ａ）は、コントローラー部１００ＣＡを、ＨＭＤ接続部２０Ｃなどが設けられる上面から見た図である。図１５（ｂ）は、コントローラー部１００ＣＡを、操作ボタン１１などが設けられる正面とは逆側の背面から見た図である。
【０１０１】
図１５（ａ）および（ｂ）を参照して、コントローラー部１００ＣＡは、背面に、連結部１０ＣＡと、読取装置４０ＣＡとを有する。連結部１０ＣＡは、コントローラー取り付けレール２５２と係合した状態において、スライドし、ストッパ２５６に当接される。
【０１０２】
読取装置４０ＣＡは、その表面にフォトリフレクター１３を複数個有する。フォトリフレクター１３は、コントローラー部１００ＣＡとコントローラー装着具２００ＣＡとが連結された状態において、識別情報保持部２５４の白部または黒部が規定される場所（８カ所）のそれぞれに対応する位置に設けられる。
【０１０３】
図１５（ｃ）、（ｄ）はそれぞれ、コントローラー部１００ＣＡとコントローラー装着具２００ＣＡとが連結された状態における、図１５（ｂ）の切断線ｉｉ−ｉｉ、切断線ｉｉｉ−ｉｉｉにおける断面図である。
【０１０４】
図１５（ｃ）および（ｄ）を参照して、コントローラー部１００ＣＡとコントローラー装着具２００ＣＡとが連結された状態において、フォトリフレクター１３の各々と、識別情報保持部２５４の白部または黒部が規定される場所の各々は対向する。
【０１０５】
この状態において、フォトリフレクター１３は光を照射し、識別情報保持部２５４によって反射された光を受ける。識別情報保持部２５４における光の反射率は、白部か黒部かで異なる。これにより、読取装置４０ＣＡは、識別情報保持部２５４の白部および黒部の組み合わせ、すなわち装着ＩＤを把握することができる。本実施の形態において、読取装置４０ＣＡは、識別情報保持部２５４の白部を「０」、黒部を「１」と判断する。
【０１０６】
たとえば、図１４（ｂ）に示される例において、読取装置４０ＣＡは、コントローラー装着具２００ＣＡの識別情報（装着ＩＤ）が「００１０１０１１」であると判断することができる。
【０１０７】
なお、識別情報保持部は白部および黒部を有する板材としたが、フォトリフレクター１３から照射される光の反射率が異なる部材であればよい。
【０１０８】
＜Ｂ．連結過程における識別情報の読み取り＞
上記の例では、装着具と情報処理端末とが連結された状態において、読取装置が装着ＩＤを読み取る構成について説明を行った。本例では、装着具と情報処理端末との連結過程において、読取装置が装着ＩＤを読み取る構成について説明を行う。なお、本例の基本構成は上記の構成と略同じなので相違する点についてのみ説明する。
【０１０９】
図１６は、さらに他の実施の形態に従うコントローラー部１００ＣＢの構成例、およびコントローラー部１００ＣＢとコントローラー装着具２００ＣＢとが連結された状態について説明する図である。
【０１１０】
図１６（ａ）、（ｂ）はそれぞれ、コントローラー部１００ＣＢを、上面、背面から見た図である。図１６（ｂ）を参照して、コントローラー部１００ＣＢは、２つのフォトリフレクター１３Ａ、１３Ｂを含む読取装置４０ＣＢを有する。フォトリフレクター１３Ａおよび１３Ｂは、互いに水平方向に配置される。
【０１１１】
図１６（ｃ）は、コントローラー装着具２００ＣＢが有する識別情報保持部２５４Ｂについて説明する図である。図１６（ｃ）を参照して、識別情報保持部２５４Ｂは、場所ごとに白部または黒部が規定される板材を２列有する。一方の列の板材は、白部と黒部とが規定された場所ごとに交互に配列されている。他方の列は、白部と黒部とが規定された場所ごとに適当に配置され、コントローラー装着具２００ＣＢの識別情報（装着ＩＤ）を構成する。
【０１１２】
図１６（ｄ）、（ｅ）はそれぞれ、コントローラー部１００ＣＢとコントローラー装着具２００ＣＢとが連結される過程おける、図１６（ｂ）の切断線ｉｖ−ｉｖ、切断線ｖ−ｖにおける断面図である。
【０１１３】
図１６（ｅ）を参照して、コントローラ部１００ＣＢは、連結部１０ＣＡがコントローラー取り付けレール２５２に係合された状態において、上から下へとスライドされる。フォトリフレクター１３Ａおよび１３Ｂは、この連結過程において、識別情報保持部２５４Ｂの白部、黒部をそれぞれ読み取る。
【０１１４】
読取装置４０ＣＢは、フォトリフレクター１３Ａによって白部と黒部とが交互に配置された列を読み取り、同期信号を得る。読取装置４０ＣＢは、この同期信号に基づいて、フォトリフレクター１３Ｂによって、他の列が構成する白部と黒部との配列、すなわち、装着ＩＤを読み取ることができる。
【０１１５】
たとえば、図１６（ｃ）に示される例において、読取装置４０ＣＢは、コントローラー装着具ＣＢの識別情報（装着ＩＤ）が「１１０１０１０１１１００１００」（１０進数だと２７３６４）であると判断することができる。
【０１１６】
上記のように、情報処理端末は、装着具との連結過程において装着具の識別情報を読み取ることができる。この場合、連結後に識別情報を読み取る場合に比べて、少ない数の識別情報読み取りセンサー（フォトリフレクター１３Ａ、１３Ｂ）で、装着具の識別情報を読み取ることができる。
【０１１７】
なお、本例における装着具の識別情報を読み取る方法は、上記実施の形態２に記した磁気を利用した構成においても実現される。
【０１１８】
［変形例］
上記実施形態１〜３に加え、以下Ａ〜Ｈに示されるその他の構成について説明を行う。なお、以下Ａ〜Ｈに示される構成は、上記の実施形態１〜３のいずれにも適用することができ、また、任意の組み合わせを採用することができる。
【０１１９】
＜Ａ．識別情報の配置＞
上記において、識別情報保持部は、識別情報に対応するスイッチなどの部材を、装着具１００との装着方向（レール２１１、コントローラー取り付けレール２５２のレール延伸方向）に配置されていたが、これに限られない。識別情報保持部は、識別情報に対応する部材を、装着具１００との装着方向と直交する方向に配置してもよい。
【０１２０】
図１７は、変形例に従う識別情報保持部について説明する図である。本変形例では、一例として、実施形態３に従う識別情報保持部２５４を変形して説明を行うが、他の実施の形態の構成であっても、本変形例を適用することができる。
【０１２１】
図１７（ａ）を参照して、識別情報保持部２５４Ｅには、場所ごとに白部または黒部が規定される板材が、コントローラー取り付けレール２５２のレール延伸方向と直交する方向に配置される。一方、コントローラー部１００Ｃの読取装置は、連結部１０ＣＡの延伸方向とは直交する方向にフォトリフレクター１３を配置される。当該フォトリフレクター１３は、識別情報保持部２５４Ｅの白部または黒部が規定される場所に対応する位置にそれぞれ配置される。
【０１２２】
コントローラー取り付けレール２５２に対する識別情報保持部２５４Ｅが配置される位置、および連結部１０ＣＡに対する読取装置が配置される位置によって、情報処理端末１００は、装着具２００が有する識別情報を、装着具２００との連結過程または連結された状態において読み取ることができる。
【０１２３】
さらに他の局面において、図１７（ｂ）に示されるように、識別情報保持部２５４Ｆは、白部または黒部がコントローラー取り付けレール２５２のレール延伸方向にわたって延在する構成であってもよい。当該構成によれば、情報処理端末１００は、装着具２００との連結過程において、早期に装着具２００の識別情報を取得することができるとともに、仮に連結過程における読取に失敗したとしても、装着具２００と連結された状態において、識別情報を確実に読み取ることができる。
【０１２４】
＜Ｂ．情報処理端末１００の操作制限＞
他の局面において、情報処理端末１００は、読取装置４０（４０Ａ、４０ＣＡ、４０ＣＢを含む）が予め定められた装着ＩＤを読み取るまで、起動処理を含むあらゆる操作を受け付けない構成であってもよい。一例として、予め定められた装着ＩＤの情報は、ＲＯＭ６３に格納されているものとする。
【０１２５】
より具体的には、情報処理端末１００は、電源ボタン１２を押圧されると、読取装置４０の読み取る装着ＩＤと、ＲＯＭ６３に格納される装着ＩＤのリストとを比較する。
【０１２６】
読取装置４０の読み取った装着ＩＤが、ＲＯＭ６３に格納される装着ＩＤのリストにあった場合、情報処理端末１００は、当該読み取った装着ＩＤが有効な装着ＩＤであると判断して、コントローラー部１００Ｃおよび表示装置１００Ｄの起動処理を実行する。一方、読取装置４０の読み取る装着ＩＤが、ＲＯＭ６３に格納される装着ＩＤのリストになかった場合、情報処理端末１００は、コントローラー部１００Ｃおよび表示装置１００Ｄの起動処理を禁止する。
【０１２７】
さらに他の局面において、比較される装着ＩＤのリストはサーバー装置３００のＲＯＭ３３０に格納されていてもよい。この場合、情報処理端末１００は、読取装置４０が読み取った装着ＩＤをサーバー装置３００に送信する。サーバー装置３００は、受信した装着ＩＤに基づいて情報処理端末１００の起動の可否を判断し、判断結果を情報処理端末１００に送信する。情報処理端末１００は、サーバー装置３００から起動可の制御信号を受信した場合にのみ起動する。
【０１２８】
上記の構成によれば、第三者が情報処理端末１００を用いてサーバー装置３００にアクセスし、サーバー装置３００から情報を引き出すなどの不正を抑制することができる。
【０１２９】
＜Ｃ．識別情報の書き換え＞
他の局面において、識別情報保持部が保持する識別情報は、書き換え可能に構成されていてもよい。凹部と凸部との部材から構成される識別情報保持部２１４（実施の形態１）は、凹部および凸部の部材をそれぞれ取り外し可能に構成または、手動または専用の器具、装置を用いて凹部と凸部とを変更可能に構成される。
【０１３０】
磁気フィルムで構成される識別情報保持部２１４（実施の形態２）は、磁化書き込み装置によって、既に書き込まれた識別情報を書き換え可能に構成される。
【０１３１】
また、白部および黒部で構成される識別情報保持部２５４（実施の形態３）は、ロイコ染料と顕色剤とを含み、温度に応じて発色と消色を繰り返す可逆性感熱部材であって、感熱式プリンター（不図示）によって白部および黒部を書き換え可能に構成される。
【０１３２】
上記構成において、識別情報保持部２１４および２５４は、装着ＩＤを書き換え可能に構成される。この場合、作業者を特定するための作業者ＩＤ（の数字部分）と同じ装着ＩＤを識別情報保持部に形成することによって、サーバー装置３００での処理を軽減することができる。以下にその理由を説明する。
【０１３３】
上記の実施形態において、図９に示されるようにサーバー装置３００は、装着ＩＤを受信した後に、当該装着ＩＤに対応する作業者ＩＤをユーザーテーブルＴａ１を参照して特定する。しかし、本変形例において、装着ＩＤと作業者ＩＤ（の数字部分）とが同じに設定されるため、サーバー装置３００は、当該ステップを省略することができる。
【０１３４】
また、情報処理システム１の使用者は、装着ＩＤと作業者ＩＤとを対応付けるユーザーテーブルＴａ１を作成する、という手間を省くことができる。
【０１３５】
なお、識別情報保持部が保持する識別情報は２進数であるので、一例として作業者ＩＤが１０進数の「３」である場合、装着ＩＤは「００１１」が書き込まれることになる。
【０１３６】
＜Ｄ．他の装着具＞
上記において、コントローラー装着具２００Ｃがベルト、表示装着具２００Ｄが帽子である例について説明を行ったがこれに限られない。他の局面において、コントローラー装着具２００Ｃとして作業者が身に着ける作業着などの上着、ズボン等であってもよい。また、表示具装着具２００Ｄとして、図１８に示されるように、ヘルメット型である表示装着具２００ＤＡを用いてもよい。
【０１３７】
図１８を参照して、ヘルメット型の表示装着具２００ＤＡの鍔部２０５ＤＡには、帽子型の表示装着具２００Ｄと同様の、表示取り付け部２１０が設けられる。また、ヘルメット型以外のゴーグルやガスマスクのようなものであっても、表示取り付け部２１０を、使用者の目の高さよりやや上方の位置に設けることができるものであればよい。
【０１３８】
さらに他の局面において、図１９に示されるメガネ型の表示装着具２００ＤＢを用いてもよい。この場合、図１９（ａ）に示されるように、表示取り付け部２１０は、識別情報保持部２１４を有する面が上方を臨むように、メガネフレームの上部に取り付けられる。
【０１３９】
これに応じて、図１９（ｂ）に示されるように、本変形例に従う表示部３０Ｂは、読取装置４０を、筐体３１の上側ではなく、下側に設けられる。これにより、表示部３０Ｂのプリズム３８は、メガネ型の表示装着具２００ＤＢを身に着ける作業者の目線位置に配置されることになる。その結果、作業者は、プリズム３８に表示される映像を容易に視ることができる。
【０１４０】
さらに他の局面において、表示装着具は、筐体３１の上側および下側の両方に読取装置４０を設けてもよい。これにより、当該表示装着具は、帽子型、ヘルメット型などの表示装着具に加えて、メガネ型の表示装着具とも連結可能に構成される。
【０１４１】
上記いずれの例においても、実施の形態に従う情報処理システム１と同様に、サーバー装置３００は、情報処理端末１００を使用している作業者を特定することができる。これにより、サーバー装置３００は、情報処理端末１００を使用している各作業者に対して、個別の情報を提供することができる。
【０１４２】
＜Ｅ．サーバー装置３００の管理者とのやりとり＞
上記において、サーバー装置３００は、図１１に示される作業情報テーブルＴａ２を参照して、情報処理端末１００へ作業情報を送信する構成であったが、当該構成に限られない。他の局面において、サーバー装置３００の管理者は、装着ＩＤの送信元である情報処理端末１００の使用者に対して直接音声または／および映像を用いて指示を行ってもよい。
【０１４３】
この場合、作業情報テーブルＴａ２には、作業者ＩＤと作業者の習熟度、作業内容（たとえば、製品組み立て）などの情報が関連付けられて格納されてもよい。これにより、サーバー装置３００の管理者は、作業者の習熟度や作業内容を考慮して、作業者に対して個別に指示を行うことができる。
【０１４４】
＜Ｆ．グループで管理される識別情報＞
上記において、作業者は専用の装着具２００を有し、それぞれに固有の装着ＩＤが設けられる構成であったが、必ずしも作業者個人の特定が求められない場合も想定される。この場合、装着ＩＤは、グループごとに設けられる構成であってもよい。
【０１４５】
グループとは、一例として、作業者が行う作業内容によって組立グループ、検査グループなどと定められてもよいし、作業者の習熟度に応じて定められてもよい。
【０１４６】
この場合、サーバー装置３００は、少ない装着ＩＤの数であっても、グループに属する多数の作業者に対して指示を行うことができる。
【０１４７】
＜Ｇ．他のバリエーション＞
上記において、凹部と凸部の組み合わせをスイッチで読み取る構成、磁化の向きの組み合わせを感磁素子で読み取る構成、および黒部と白部の組み合わせをフォトリフレクターで読み取る構成についてそれぞれ開示したが、これらの構成は、コントローラー部とコントローラー装着具、および表示装置と表示装着具のいずれの組み合わせにおいても実装することができる。
【０１４８】
また、上記実施の形態１および２において表示装着具の装着ＩＤを、実施の形態３においてコントローラー装着具の装着ＩＤを読み取る構成について説明を行ったが、情報処理端末は、少なくともいずれか一方の装着具の装着ＩＤを読み取る構成であればよい。
【０１４９】
＜Ｈ．プログラム＞
他の局面において、上述のフローで説明した制御を情報処理端末１００、サーバー装置３００の各コンピュータにおいて実行させるプログラムを提供することもできる。これらのプログラムは、コンピュータに付属するフレキシブルディスク、ＣＤ−ＲＯＭ（Compact Disk-Read Only Memory）、ＲＯＭ、ＲＡＭおよびメモリカードなどの一時的でないコンピュータ読み取り可能な記録媒体に記録させた状態で提供することもできる。あるいは、これらのコンピュータに内蔵するハードディスクなどの記録媒体にて記録させて、プログラムを提供することもできる。また、ネットワークを介したダウンロードによって、プログラムを提供することもできる。
【０１５０】
なお、これらのプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【０１５１】
また、これらのプログラムは他のプログラムの一部に組み込まれて提供されるものであってもよい。その場合にも、これらのプログラム自体には上記他のプログラムに含まれるモジュールが含まれず、他のプログラムと協働して処理が実行される。このような他のプログラムに組み込まれたプログラムも、本開示にかかるプログラムに含まれ得る。
【０１５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５３】
１  情報処理システム、１１  操作ボタン、１２  電源ボタン、１３，１３Ａ，１３Ｂ  フォトリフレクター、４０，４０Ａ，４０ＣＡ，４０ＣＢ  読取装置、１００  情報処理端末、１００Ｃ，１００ＣＡ，１００ＣＢ  コントローラー部、１００Ｄ  表示装置、２００  装着具、２００Ｃ，２００ＣＡ，２００ＣＢ  コントローラー装着具、２００Ｄ，２００ＤＡ，２００ＤＢ  表示装着具、２５４Ｂ  識別情報保持部、３００  サーバー装置、Ｔａ１  ユーザーテーブル、Ｔａ２  作業情報テーブル。
【図１】
2017102727.tif 000003
【図２】
2017102727.tif 000004
【図３】
2017102727.tif 000005
【図４】
2017102727.tif 000006
【図５】
2017102727.tif 000007
【図６】
2017102727.tif 000008
【図７】
2017102727.tif 000009
【図８】
2017102727.tif 000010
【図９】
2017102727.tif 000011
【図１０】
2017102727.tif 000012
【図１１】
2017102727.tif 000013
【図１２】
2017102727.tif 000014
【図１３】
2017102727.tif 000015
【図１４】
2017102727.tif 000016
【図１５】
2017102727.tif 000017
【図１６】
2017102727.tif 000018
【図１７】
2017102727.tif 000019
【図１８】
2017102727.tif 000020
【図１９】
2017102727.tif 000021